(57)【要約】【課題】手書きで記入を行う帳票において，特別な電子機器を用いなくても上記帳票の更新履歴の管理を電子的に行うことができ，さらに上記更新履歴のデータサイズを低減することが可能な更新履歴管理装置を提供すること。【解決手段】帳票１２６を入力画像として読み取る画像入力部１０２と，上記入力画像から特定情報２５０を抽出する特定情報抽出部１０４と，上記特定情報に関連付いた更新履歴情報１２４を，それが保存されているデータ記憶部１２８から抽出するデータ抽出部１０８と，上記更新履歴情報に基づいて，前回，読み取られた直近画像２０２を生成する履歴画像合成部１１６と，上記直近画像および入力画像から，更新領域情報３５０を抽出する更新領域抽出部１１４と，上記更新領域情報を含む更新履歴情報を保存する更新情報保存部１１８とを備える更新履歴管理装置１００が提供される。【選択図】図１
2007122210.tif 000002
【特許請求の範囲】
【請求項１】
帳票を入力画像として読み取る画像入力部と；
前記入力画像から帳票を一意に特定可能な特定情報を抽出する特定情報抽出部と；
前記帳票が更新される毎に生成され，更新された内容を含む更新領域情報，および更新された領域を特定する属性情報を含む更新履歴情報と，前記特定情報とを関連付けて記憶するデータ記憶部と；
前記特定情報抽出部により抽出された前記特定情報に基づいて，該特定情報に関連付けられている前記更新履歴情報を前記データ記憶部から抽出するデータ抽出部と；
前記データ抽出部により抽出された前記更新履歴情報に基づいて，前記画像入力部が前記帳票を前回読み取った際の画像である直近画像を生成する履歴画像合成部と；
前記直近画像と前記入力画像とを比較して，前記更新領域情報を抽出する更新領域抽出部と；
前記更新領域抽出部により抽出された前記更新領域情報と，該更新領域情報の前記属性情報とを含む前記更新履歴情報を生成し，前記特定情報と関連付けて前記データ記憶部に保存する更新情報保存部と；
を備えることを特徴とする，更新履歴管理装置。
【請求項２】
前記データ記憶部では，前記帳票のフォーマットを示す原本情報を前記特定情報と関連付けて記憶しており；
前記データ抽出部では，前記特定情報抽出部により抽出された前記特定情報に基づいて，該特定情報に関連付けられている前記原本情報を前記データ記憶部から抽出し；
前記履歴画像合成部では，前記原本情報と，前記更新履歴情報に基づいて前記直近画像を生成すること；
を特徴とする，請求項１に記載の更新履歴管理装置。
【請求項３】
前記履歴画像合成部は，
前記更新領域情報から更新領域画像を生成し，前記原本情報から原本画像を生成し，前記原本画像に前記更新領域画像を重畳して，前記直近画像を生成すること；
を特徴とする，請求項２に記載の更新履歴管理装置。
【請求項４】
前記属性情報には，更新日時を示す情報が含まれ；
前記履歴画像合成部は，前記更新日時を示す情報に基づいて，更新日時が古い順に，順番にすべての前記更新履歴画像を重畳する；
ことを特徴とする，請求項３に記載の更新履歴管理装置。
【請求項５】
前記帳票には，該帳票における記入領域を示す領域情報が記録されており；
前記更新領域抽出部は，
前記領域情報に基づいて，前記直近画像と前記入力画像との前記記入領域における差分を抽出し，該差分に応じて前記更新領域情報を抽出すること；
を特徴とする，請求項１〜４のいずれかに記載の更新履歴管理装置。
【請求項６】
前記特定情報抽出部は，
前記領域情報に基づいて，前記入力画像の前記記入領域以外を空白にした画像に変換し；
前記履歴画像合成部は，
前記更新領域情報から更新領域画像を生成し，白紙画像に前記更新領域画像を重畳し，前記直近画像を生成すること；
を特徴とする，請求項５に記載の更新履歴管理装置。
【請求項７】
前記更新履歴情報に，前記帳票のフォーマットを示す原本情報が含まれること；
を特徴とする，請求項１に記載の更新履歴管理装置。
【請求項８】
前記更新情報保存部は，前記データ抽出部により前記データ記憶部から前記更新履歴情報が抽出されなかった場合に，前記入力画像を最初の更新履歴情報として前記データ記憶部に保存すること；
を特徴とする，請求項７に記載の更新履歴管理装置。
【請求項９】
前記画像入力部において，帳票読み取り時に発生する前記入力画像の歪みを補正する入力画像補正部；
をさらに備えること；
を特徴とする，請求項１〜８のいずれかに記載の更新履歴管理装置。
【請求項１０】
前記更新情報保存部は，前記更新履歴情報に，該更新履歴情報に対する電子署名を付加して保存すること；
を特徴とする，請求項１〜９のいずれかに記載の更新履歴管理装置。
【請求項１１】
前記更新情報保存部は，前記更新履歴情報に，該更新履歴情報に対する時刻署名を付加して保存すること；
を特徴とする，請求項１〜９のいずれかに記載の更新履歴管理装置。
【請求項１２】
前記更新情報保存部は，前記更新履歴情報に対する電子署名を，該更新履歴情報の更新領域情報を画像化した更新領域画像に電子透かしとして記録して保存すること；
を特徴とする，請求項１〜９のいずれかに記載の更新履歴管理装置。
【請求項１３】
前記更新情報保存部は，前記更新履歴情報に対する時刻署名を，該更新履歴情報の更新領域情報を画像化した更新領域画像に電子透かしとして記録して保存すること；
を特徴とする，請求項１〜９のいずれかに記載の更新履歴管理装置。
【請求項１４】
帳票を一意に特定可能な特定情報を入力する特定情報入力部；
をさらに備え，
前記直近画像を出力する帳票履歴出力部；
をさらに備えることを特徴とする，請求項１〜９のいずれかに記載の更新履歴管理装置。
【請求項１５】
前記特定情報入力部は，前記帳票への，記入者名および／または帳票タイトルから検索した，帳票を一意に特定可能な特定情報を入力すること；
を特徴とする，請求項１０に記載の更新履歴管理装置。
【請求項１６】
帳票を入力画像として読み取る画像入力工程と；
前記入力画像から帳票を一意に特定可能な特定情報を抽出する特定情報抽出工程と；
前記特定情報抽出工程により抽出された前記特定情報に基づいて，該特定情報に関連付けられている更新履歴情報を，該更新履歴情報を記憶するデータ記憶部から抽出するデータ抽出工程と，ここで，前記更新履歴情報は，前記帳票が更新される毎に生成され，更新された内容を含む更新領域情報，および更新された領域を特定する属性情報を含む；
前記データ抽出工程により抽出された前記更新履歴情報に基づいて，前記画像入力工程で前記帳票を前回読み取った際の画像である直近画像を生成する履歴画像合成工程と；
前記直近画像と前記入力画像とを比較して，前記更新領域情報を抽出する更新領域抽出工程と；
前記更新領域抽出工程により抽出された前記更新領域情報と，該更新領域情報の前記属性情報とを含む前記更新履歴情報を生成し，前記特定情報と関連付けて前記データ記憶部に保存する更新情報保存工程と；
を備えることを特徴とする，更新履歴管理方法。
【発明の詳細な説明】
【技術分野】
【０００１】
本発明は，更新履歴管理装置および更新履歴管理方法に関する。
【背景技術】
【０００２】
従来，病院などで使用される医療診療記録（以下，カルテ）には，診療ごとの診療結果が記録される。これにより診療の履歴が記録されるが，日付を遡って修正を加えることが可能である。これを防止するため，上記カルテに記入が行われるたびに，スキャナなどを用いて上記カルテを電子画像化する技術が提案されている。
【０００３】
一方，上記カルテを電子化するために，スタイラスペンにより入力可能なタブレット付きコンピュータを用いる技術が提案されている（例えば，特許文献１を参照。）。また，上記カルテを電子化するために，上記カルテに記録された内容を，コンピュータと有線または無線で接続された，電子ペンの軌跡から電子的に読み取る技術が提案されている（例えば，特許文献２を参照。）。
【０００４】
【特許文献１】特開平１１−２５８７４９号公報
【特許文献２】特開２００４−２５２６０７号公報
【発明の開示】
【発明が解決しようとする課題】
【０００５】
しかし，提案されている技術によれば，診療回数が増えるごとに，保存すべき画像が増えるため，上記カルテの電子データサイズが増大する問題があった。また，カルテに対する入力手段としてスタイラスペン，電子ペンなど，コンピュータ端末で認識可能な装置を利用した場合，従来の筆記具に比べ，コストがかかる問題があった。
【０００６】
そこで，本発明は，上記問題に鑑みてなされたものであり，本発明の目的とするところは，手書きで記入を行う帳票において，タブレットや電子ペンなど特別な機器を用いなくても上記帳票の更新履歴の管理を電子的に行うことができ，さらに上記更新履歴を残すためのデータサイズを低減することが可能な，新規かつ改良された更新履歴管理装置を提供することにある。
【課題を解決するための手段】
【０００７】
上記課題を解決するために，本発明の第１の観点によれば，帳票を入力画像として読み取る画像入力部と，上記入力画像から帳票を一意に特定可能な特定情報を抽出する特定情報抽出部と，上記帳票が更新される毎に生成され，更新された内容を含む更新領域情報，および更新された領域を特定する属性情報を含む更新履歴情報と，上記特定情報とを関連付けて記憶するデータ記憶部と，上記特定情報抽出部により抽出された上記特定情報に基づいて，該特定情報に関連付けられている上記更新履歴情報を上記データ記憶部から抽出するデータ抽出部と，上記データ抽出部により抽出された上記更新履歴情報に基づいて，上記画像入力部が上記帳票を前回読み取った際の画像である直近画像を生成する履歴画像合成部と，上記直近画像と上記入力画像とを比較して，上記更新領域情報を抽出する更新領域抽出部と，上記更新領域抽出部により抽出された上記更新領域情報と，該更新領域情報の上記属性情報とを含む上記更新履歴情報を生成し，上記特定情報と関連付けて上記データ記憶部に保存する更新情報保存部とを備えることを特徴とする更新履歴管理装置が提供される。
【０００８】
上記更新履歴管理装置では，上記帳票は入力画像として読み取られ，上記帳票に関連付けられた上記更新履歴情報から，前回，読み取られた入力画像に対応する直近画像が生成される。そして，上記直近画像と上記入力画像とを比較した結果，更新内容を示す差分として更新履歴情報が抽出され，データベースなどの出力媒体に，上記更新履歴情報は保存される。その結果，手書きで記入を行う，あらかじめ帳票を一意に特定する特定情報が埋め込まれた帳票において，タブレットや電子ペンなど特別な機器を用いなくても，上記帳票から生成される上記入力画像と，上記特定情報を用いて生成された上記直近画像との差分を計算することによって，上記帳票に対する更新履歴をデータベースなどの出力媒体に保存管理することができる。さらに，上記更新履歴情報は，上記直近画像からの差分情報であるので，上記帳票の更新ごとに全体を電子保存化した場合に比べて，データサイズを低減することができる。
【０００９】
上記データ記憶部では，上記帳票のフォーマットを示す原本情報を上記特定情報と関連付けて記憶しており，上記データ抽出部では，上記特定情報抽出部により抽出された上記特定情報に基づいて，該特定情報に関連付けられている上記原本情報を上記データ記憶部から抽出し，上記履歴画像合成部では，上記原本情報と，上記更新履歴情報に基づいて上記直近画像を生成してもよい。
【００１０】
上記履歴画像合成部は，上記更新領域情報から更新領域画像を生成し，上記原本情報から原本画像を生成し，上記原本画像に上記更新領域画像を重畳して，上記直近画像を生成してもよい。
【００１１】
上記属性情報には，更新日時を示す情報が含まれ，上記履歴画像合成部は，上記更新日時を示す情報に基づいて，更新日時が古い順に，順番にすべての上記更新履歴画像を重畳してもよい。
【００１２】
上記帳票には，該帳票における記入領域を示す領域情報が記録されており，上記更新領域抽出部は，上記領域情報に基づいて，上記直近画像と上記入力画像との上記記入領域における差分を抽出し，該差分に応じて上記更新領域情報を抽出してもよい。さらに，上記特定情報抽出部は，上記領域情報に基づいて，上記入力画像の上記記入領域以外を空白画像に変換し，上記履歴画像合成部は，上記更新領域情報から更新領域画像を生成し，白紙画像に上記更新領域画像を重畳し，上記直近画像を生成してもよい。上記発明によれば，上記データ抽出部において，上記原本情報を参照することなく上記更新履歴情報だけを使用して，直近画像を生成することができる。そして，上記更新領域抽出部において，上記直近画像と上記入力画像とを比較して，上記領域情報に対応する範囲における差分を更新履歴情報として抽出することができる。
【００１３】
上記更新履歴情報に，上記帳票のフォーマットを示す原本情報が含まれるとしてよい。さらに，上記更新情報保存部は，上記データ抽出部により上記データ記憶部から上記更新履歴情報が抽出されなかった場合に，上記入力画像を最初の更新履歴情報として上記データ記憶部に保存してもよい。上記発明によれば，上記帳票に対する更新履歴を出力する場合，上記更新履歴情報に既に上記原本情報は含まれているので，上記データ抽出部において上記原本情報は参照される必要がなく，上記更新履歴情報だけを使用して，直近画像を生成し出力することができる。
【００１４】
上記画像入力部において，帳票読み取り時に発生する上記入力画像の歪みを補正する入力画像補正部をさらに備えてもよい。上記入力画像補正部では，帳票の伸縮や帳票読み取り時に発生する傾きなどによって発生する歪みに対して，上記入力画像の補正が行われる。その結果，上記直近画像と高精度の比較が可能な入力画像を生成することができる。
【００１５】
上記更新情報保存部は，上記更新履歴情報に，該更新履歴情報に対する電子署名を付加して保存してもよい。上記発明によれば，上記更新履歴情報に対する電子署名を検証することで，上記更新履歴情報に対する真正性を保証することができ，さらに，上記更新履歴情報に改ざんが存在した場合，検知することができる。
【００１６】
上記更新情報保存部は，上記更新履歴情報に，該更新履歴情報に対する時刻署名を付加して保存してもよい。上記発明によれば，上記更新履歴情報に対する時刻署名を検証することで，上記更新履歴情報，および上記更新履歴情報が記録された日時を示す更新日時情報に対する真正性を保証することができ，さらに，上記更新履歴情報または上記更新日時情報の少なくともいずれかを含む情報に改ざんが存在した場合，検知することができる。
【００１７】
上記更新情報保存部は，上記更新履歴情報に対する電子署名を，該更新履歴情報の更新領域情報を画像化した更新領域画像に電子透かしとして記録し，保存してもよい。上記発明によれば，上記更新領域画像から抽出した電子署名を検証することで，上記更新履歴情報に対する真正性を保証することができ，さらに，上記更新履歴情報に改ざんが存在した場合，検知することができる。
【００１８】
上記更新情報保存部は，上記更新履歴情報に対する時刻署名を，該更新履歴情報の更新領域情報を画像化した更新領域画像に電子透かしとして記録し，保存してもよい。上記発明によれば，上記更新領域画像から抽出した時刻署名を検証することで，上記更新履歴情報，および上記更新履歴情報が記録された日時を示す更新日時情報に対する真正性を保証することができ，さらに，上記更新履歴情報または上記更新日時情報の少なくともいずれかを含む情報に改ざんが存在した場合，検知することができる。
【００１９】
上記更新履歴管理装置は，帳票を一意に特定可能な特定情報を入力する特定情報入力部をさらに備え，上記直近画像を出力する帳票履歴出力部をさらに備えてもよい。上記構成により，入力された上記特定情報に関連付けられた，上記原本情報または更新履歴情報の少なくともいずれかを含む情報から，前回，読み取られた入力画像に対応する直近画像が生成される。そして，上記直近画像はコンピュータ端末のディスプレイ上や印刷デバイスなどに出力される。上記発明によれば，ユーザは上記帳票に対する更新履歴を，コンピュータ端末のディスプレイ上や印刷された印刷物で確認することができる。
【００２０】
上記特定情報入力部は，上記帳票への，記入者名および／または帳票タイトルから検索した，帳票を一意に特定可能な特定情報を入力するとしてもよい。上記発明によれば，上記帳票の更新履歴を閲覧するユーザが，上記特定情報を忘れ，または紛失した場合，上記記入者名や帳票タイトルなど上記帳票に関連する情報を少なくとも１つ入力することにより，上記特定情報を取得し，上記特定情報入力部に入力することができる。
【００２１】
また，上記課題を解決するために，本発明の第２の観点によれば，帳票を入力画像として読み取る画像入力工程と，上記入力画像から帳票を一意に特定可能な特定情報を抽出する特定情報抽出工程と，上記特定情報抽出工程により抽出された上記特定情報に基づいて，該特定情報に関連付けられている，更新履歴情報を，該更新履歴情報を記憶するデータ記憶部から抽出するデータ抽出工程と，ここで，上記更新履歴情報は上記帳票が更新される毎に生成され，更新された内容を含む更新領域情報，および更新された領域を特定する属性情報を含む，上記データ抽出工程により抽出された上記更新履歴情報に基づいて，上記画像入力工程で上記帳票を前回読み取った際の画像である直近画像を生成する履歴画像合成工程と，上記直近画像と上記入力画像とを比較して，上記更新領域情報を抽出する更新領域抽出工程と，上記更新領域抽出工程により抽出された上記更新領域情報と，該更新領域情報の上記属性情報とを含む上記更新履歴情報を生成し，上記特定情報と関連付けて上記データ記憶部に保存する更新情報保存工程とを備えることを特徴とする更新履歴管理方法が提供される。
【００２２】
上記更新履歴管理方法においては，上記帳票は入力画像として読み取られ，上記帳票に関連付けられた上記更新履歴情報から，前回，読み取られた入力画像に対応する直近画像が生成される。そして，上記直近画像と上記入力画像とを比較した結果，更新内容を示す差分として更新履歴情報が抽出され，データベースなどの出力媒体に，上記更新履歴情報は保存される。その結果，手書きで記入を行う，あらかじめ帳票を一意に特定する特定情報が埋め込まれた帳票において，タブレットや電子ペンなど特別な機器を用いなくても，上記帳票から生成される上記入力画像と，上記特定情報を用いて生成された上記直近画像との差分を計算することによって，上記帳票に対する更新履歴をデータベースなどの出力媒体に保存管理することができる。さらに，上記更新履歴情報は，上記直近画像からの差分情報であるので，上記帳票の更新ごとに全体を電子保存化した場合に比べて，データサイズを低減することができる。
【００２３】
また，上記課題を解決するために，本発明の第３の観点によれば，コンピュータを第１の観点に記載の更新履歴管理装置として機能させるためのコンピュータプログラムが提供される。よって，コンピュータを上記優れた更新履歴管理装置として機能させることが可能である。さらに本発明によれば，上記コンピュータプログラムが記録された記録媒体が提供される。
【発明の効果】
【００２４】
以上説明したように本発明によれば，手書きで記入を行う帳票において，タブレットや電子ペンなど特別な機器を用いなくても上記帳票の更新履歴の管理を電子的に行うことができ，さらに上記更新履歴を残すためのデータサイズを低減することができる。
【発明を実施するための最良の形態】
【００２５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２６】
（第１の実施形態）
本発明の第１の実施形態にかかる更新履歴管理装置について説明する。本実施形態では，上記更新履歴管理装置において，手書きで記入された紙帳票の更新履歴を電子的に更新履歴情報として生成し保存管理する。また，保存済み上記更新履歴情報から，前回保存された帳票や上記帳票の更新履歴をディスプレイ上や印刷デバイスなどに出力する。
【００２７】
本発明の第１実施形態にかかる更新履歴管理装置１００の構成を図１に示す。図１に示す上記更新履歴管理装置の構成は，後述する更新履歴管理機能および更新履歴閲覧機能を実現する構成を示す。図２は，図１に示す上記更新履歴管理装置の構成から，手書きで記入された紙帳票の更新履歴を電子的に管理する，上記更新履歴管理機能を実現する構成を抜き出して示した説明図である。図３は，図１に示す上記更新履歴管理装置の構成から，保存されている上記更新履歴情報から，前回保存された帳票の画像や上記帳票の更新履歴をディスプレイ上や印刷デバイスなどに出力する，上記更新履歴閲覧機能を実現する構成を抜き出して示した説明図である。図１に示す各構成は，図２および図３に示す各構成と重複するため，その説明は，以下，図２および図３の各構成を説明することで省略する。
【００２８】
図１，図２において，上記更新履歴管理装置における更新履歴管理機能を実現する構成について説明する。画像入力部１０２では，手書きで記入された帳票１２６がスキャナなどの入力装置により入力画像１１２として読み取られる。ここで，上記帳票には，帳票の種類を識別するためのＩＤ（以下，種別ＩＤ）と，上記帳票の連番など，上記帳票の紙ごとに異なるＩＤ（以下，個別ＩＤ）の地紋パターンが重畳されている。上記種別ＩＤと個別ＩＤとをまとめて，以下，帳票ＩＤ１１０と呼ぶ。
【００２９】
特定情報抽出部１０４では，上記入力画像から上記帳票ＩＤが抽出される。さらに，上記入力画像が，上記更新履歴管理装置に保存されている他帳票の画像と座標単位で，上記各画像間における帳票のデータの比較が高精度に行えるように，歪みを補正した画像に変換される入力画像補正部が備えられてもよい。ここで，上記歪みは，紙の伸縮や上記画像入力部での帳票読み取り時に発生する傾きなどによって生じる。上記補正は，あらかじめ上記帳票に埋め込まれた，罫線，文字など上記帳票のフォーマットの位置を示す透かし情報を抽出し，上記フォーマット各要素の正確な位置を算出することで行われる。
【００３０】
データ抽出部１０８では，上記種別ＩＤを参照して該当する帳票のフォーマット１２２（以下，原本情報）と，上記個別ＩＤを参照して，上記帳票の更新履歴を示す更新履歴情報１２４が，各々のデータベースなどの記憶媒体であるデータ記憶部１２８から抽出される。上記更新履歴情報は，上記帳票が更新されるたびに，１つ追加される。なお，上記原本情報と更新履歴情報は，同一のデータベースなどの記憶媒体に保存されるとしてもよい。
【００３１】
履歴画像合成部１１６では，上記原本情報を画像化した原本画像に，上記更新履歴情報を画像化した更新履歴画像が，後述する属性情報に含まれている，更新日時の古いものから重畳され，前回，上記画像入力部で読み取られた帳票の画像（以下，直近画像）が生成される。
【００３２】
更新領域抽出部１１４では，上記入力画像と上記履歴画像合成部で生成された直近画像の差分を計算し，追記，削除など，今回更新された範囲を示す更新領域が抽出される。ここで，上記更新領域は，今回のすべての更新された範囲を囲む領域である。なお，上記更新領域は，今回のすべての更新された範囲を囲む，最小矩形または三角形などの任意の図形でもよいし，今回更新された範囲ごとに囲まれた矩形でもよい。
【００３３】
更新情報保存部１１８では，上記更新領域を画像化した更新領域画像（図１０の３５０）および，上記更新領域の位置を示す位置情報や上記更新領域が抽出された日時を示す更新日時情報などを含む属性情報が，相互に関連付けられながら，上記更新履歴情報が保存されているデータベースなどの記憶媒体である，上記データ記憶部に，更新履歴情報として追加される。
【００３４】
図３において，上記更新履歴管理装置における更新履歴閲覧機能を実現する構成について説明する。特定情報入力部１０６では，閲覧対象帳票に対する，上記種別ＩＤおよび個別ＩＤを含めた帳票ＩＤ１１０が入力される。ここで，上記帳票への記入者名や帳票タイトルなどから上記帳票ＩＤを自動で検索可能であれば，上記帳票ＩＤの代わりに上記記入者名や帳票タイトルなどが入力されてもよい。したがって，上記帳票の更新履歴を閲覧するユーザが，上記特定情報を忘れ，または紛失した場合，上記記入者名や帳票タイトルなど上記帳票に関連する情報を少なくとも１つ入力することにより，上記特定情報を取得し，上記特定情報入力部に入力することができる。
【００３５】
データ抽出部１０８では，上記特定情報入力部で入力された上記種別ＩＤを参照して，該当する帳票のフォーマット１２２（以下，原本情報）と，上記個別ＩＤを参照して，帳票の更新履歴を示す更新履歴情報１２４とが，各々のデータベースなどの記憶媒体であるデータ記憶部１２８から抽出される。なお，上記原本情報と更新履歴情報は，同一のデータベースなどの記憶媒体に保存されるとしてもよい。
【００３６】
履歴画像合成部１１６では，上記原本情報を画像化した原本画像に，上記更新履歴情報を画像化した更新履歴画像が，上記属性情報に含まれている更新日時の古いものから重畳され，前回，上記画像入力部で読み取られた帳票の画像（以下，直近画像）が生成される。
【００３７】
履歴出力部１２０では，上記履歴画像合成部において生成された直近画像が，コンピュータ端末のディスプレイに表示され，または印刷される。また，閲覧対象日時を任意入力することで，上記帳票に対する更新日時を指定した，期間限定の出力も可能である。図４は，本発明の第１の実施形態にかかる更新履歴管理装置においてディスプレイ表示された直近画像を示す説明図である。上記例では，ディスプレイ画面１５２に表示されている帳票上の任意の位置に，ポインティングデバイスである，例えば，マウスポインタを移動させた場合，ポップアップウィンドウ１５０が表示され，上記位置の記入内容についての更新日や承認者などの情報を確認することができる。
【００３８】
（動作）
図５は，本発明の第１の実施形態にかかる更新履歴情報の生成の流れを示す説明図である。
【００３９】
（Ｓ１００）
最初に，上記画像入力部において，手書きで記入された帳票が，スキャナなどの入力装置により入力画像１１２として読み取られる。次に，特定情報抽出部において，上記入力画像から，帳票を一意に特定する特定情報である帳票ＩＤ１１０が抽出される。さらに上記入力画像に対して，余白の削除，地紋パターンの除去が行われる。図６には，上記帳票に特定情報２５０の地紋パターンが重畳された画像を示す。帳票の記入者に上記帳票を配布する場合，上記帳票にはあらかじめ，種別ＩＤおよび個別ＩＤが地紋パターンとして重畳され，さらに印刷される。
【００４０】
（Ｓ１０２）
次に，もし，上記入力画像補正部を備えていれば，上記入力画像は，上記更新履歴管理装置に保存されている他帳票の画像と座標単位で，上記各画像間における帳票のデータの比較が行えるように，歪みを補正した画像（以下，補正画像）に変換される。
図７には，上記入力画像および補正画像を示す。図７（ａ）は入力画像を，図７（ｂ）は補正画像を示す。図７（ａ）を参照すれば，入力画像は紙の伸縮や，帳票読み取り時の回転などにより歪みが発生している上に，帳票の周囲に余白が存在していることがわかる。図７（ｂ）を参照すれば，上記入力画像補正部において，回転補正やサイズ補正が行われる。
【００４１】
次に，上記種別ＩＤを参照して該当する帳票のフォーマット（以下，原本情報）と，上記個別ＩＤを参照して，帳票の更新履歴を示す更新履歴情報が，データベースなどの記憶媒体である上記データ記憶部から抽出される。
【００４２】
ここで，図５の更新領域抽出工程（Ｓ１０４）に入力される直近画像の生成の流れについて説明する。図８は，本発明の第１の実施形態にかかる直近画像の生成の流れを示す説明図である。
【００４３】
図８を参照すれば，最初に，原本情報１２２から画像化された原本画像が生成される（Ｓ１５０）。同時に，更新履歴情報１２４から更新領域画像や上記更新領域画像の座標位置を含む更新履歴情報が復元される（Ｓ１５２）。次に，上記原本画像に，上記更新領域画像が，属性情報に含まれている更新日時の古いものから重畳され，前回，上記画像入力部において読み取られた帳票の画像（以下，直近画像２０２）が生成される（Ｓ１５４）。
【００４４】
図９は，本発明の第１の実施形態にかかる直近画像の生成の流れを具体的に示す説明図である。
【００４５】
図９（ａ）を参照すれば，原本情報を保存するデータベースから種別ＩＤに対応する帳票の原本情報が抽出され，帳票のフォーマットを示す原本画像が生成される。次に個別ＩＤを参照して，上記帳票の更新履歴情報を抽出し，図９（ｂ）を参照すれば，初回に記録された第１更新履歴情報３００と，２回目に記録された第２更新履歴情報３０２が復元される。最後に，図９（ｃ）に示すように，上記原本画像の上に，上記第１更新履歴情報および第２更新履歴情報から生成された更新領域画像が，古い更新日時の順に重畳されて直近画像が生成される。
【００４６】
（Ｓ１０４）
図５の説明に戻り，次に，上記入力画像補正工程（Ｓ１０２）で生成された補正画像と上記直近画像の差分を計算し，追記，削除など今回更新された更新領域が抽出される。
【００４７】
ここで，更新領域抽出処理の流れについて説明する。図１０は，本発明の第１の実施形態にかかる更新履歴情報が保存されているデータベースに，上記帳票ＩＤに関連付けられた更新履歴情報が存在しない場合の更新領域抽出処理の流れを示す説明図である。
【００４８】
上記図１０において，図１０（ａ）を参照すれば，上記更新履歴情報が存在しない場合の直近画像は，プレ印刷されている文字，罫線，図形などを含む帳票のフォーマットそのものである。
【００４９】
そして，上記直近画像と，図１０（ｂ）に示す補正画像との差分を計算する。そして，図１０（ｃ）に示す，更新領域画像３５０として更新領域を囲む最小矩形画像データが抽出される。そして，上記更新領域画像および，上記最小矩形画像データの位置，更新領域抽出処理を行った日時などを示す属性情報３５２が，図１０（ｄ）に示すように更新履歴情報としてデータベースなどの記憶媒体であるデータ記憶部に保存される。
【００５０】
図１１は，本発明の第１の実施形態にかかる，更新履歴情報が保存されているデータベースなどに，上記帳票ＩＤに関連付けられた更新履歴情報が存在する場合の更新領域抽出の流れを具体的に示す説明図である。図１１（ａ）は補正画像を，図１１（ｂ）は直近画像を示す。図１１（ｃ）は，図１０（ｃ）と同様に，更新領域画像３５０として更新領域を囲む最小矩形画像データを示す。図１１（ｄ）は上記更新領域画像と，属性情報３５２として上記最小矩形画像データの位置，更新領域抽出処理を行った日時などと併せた更新履歴情報を示す。例えば，帳票に対する更新がＮ回目であったとすると，直近画像は，Ｎ−１回目に更新された状態の帳票である。更新領域の抽出処理は，図１０に示す上記更新履歴情報が保存されているデータベースなどに，上記帳票ＩＤに関連付けられた更新履歴情報が存在しない場合と同様である。
【００５１】
上記更新領域画像は，追記された部分と削除された部分とを別々の画像としてもよいし，例えば，追記部分を正の値，削除部分を負の値，と表現するなど，それらの違いがわかるようにして１つの画像にまとめてもよい。
【００５２】
（Ｓ１０６）
図５の説明に戻り，次に，上記更新領域を画像化した更新領域画像および，上記更新領域の位置を示す位置情報や，上記更新領域が抽出された日時を示す更新日時情報などを示す属性情報が，相互に関連付けられながら，上記更新履歴情報が保存されているデータベースなどの記憶媒体である，上記データ記憶部に，更新履歴情報として追加される。
【００５３】
上記更新情報保存工程（Ｓ１０６）におけるデータベースへの更新履歴情報の保存方法は，上記更新履歴情報をそのまま保存してもよいし，上記更新履歴情報を暗号化して保存してもよい。また，上記更新履歴情報に電子署名を付加して保存してもよいし，上記更新履歴情報に時刻署名を付加して保存してもよい。また，更新領域画像に上記属性情報を電子透かしとして埋め込んだうえで，更新履歴情報として保存してもよいし，更新領域画像に，上記属性情報と，その電子署名または時刻署名の少なくともいずれかを含む署名とを電子透かしとして埋め込んだうえで，更新履歴情報として保存してもよい。ここで，上記電子透かしは，改ざん検出可能な方式で埋め込まれてもよい。
【００５４】
（効果）
更新履歴を残しながら手書きで記入を行う帳票，例えば，紙の医療診断カルテ，において，タブレットや電子ペンなど特別な機器を用いずとも，更新履歴の管理を電子的に行うことができる。さらに，上記更新履歴は，前回，読み取られた帳票の画像からの差分情報であるので，保存すべき上記更新履歴のデータサイズを低減することができる。また，上記帳票の更新履歴の保存時に，電子署名や時刻署名を付加することで，更新履歴情報の真正性を保証することができ，さらに，上記更新履歴情報に改ざんが存在した場合，検知できる。
【００５５】
（第２の実施形態）
本発明の第２の実施形態にかかる更新履歴管理装置について説明する。本実施形態では，例えば，医療診断カルテのように，帳票に対する手書きの記載領域があらかじめ決まっている場合に，データベースなど，データ記憶部に保存されている帳票のフォーマットを示す原本情報を参照することなく，更新履歴情報を生成することができる。以下，第１の実施形態との差異部分を説明する。
【００５６】
図１２は，本発明の第２実施形態にかかる更新履歴管理装置において更新履歴管理機能を実現する構成を示す説明図である。
【００５７】
第１の実施形態との相違点は，データ抽出部１０８において，個別ＩＤを参照して，種別ＩＤに対応する帳票の更新履歴情報１２４のみがデータベースなどの記憶媒体であるデータ記憶部１２８から抽出される点である。第２の実施形態にかかる更新履歴管理装置において，更新履歴情報の生成の流れは，第１の実施形態と同様であるが以下の相違点がある。
【００５８】
以下，第２の実施形態における更新履歴情報の生成の流れについて説明する。帳票の記入者に上記帳票を配布する場合に，上記帳票には，帳票を一意に特定可能な種別ＩＤおよび個別ＩＤだけでなく，第２の実施形態では，手書き領域を示す記載領域情報（本発明の領域情報に相当）があらかじめ地紋パターンとして重畳され，印刷される。
【００５９】
図１３は，本発明の第２の実施形態にかかる，帳票に種別ＩＤ，個別ＩＤを示す特定情報２５０，および上記記載領域情報４００（図１３（ｂ）を参照）の地紋パターンが重畳された画像を示す説明図である。図１３（ａ）を参照すれば，点線で囲まれた領域の位置を示す情報が上記記載領域情報である。
【００６０】
最初に，上記画像入力部において，手書きで記入された帳票が，スキャナなどの入力装置により入力画像１１２として読み取られる。次に，特定情報抽出部において，上記入力画像から，帳票を一意に特定する特定情報である帳票ＩＤおよび記載領域情報が抽出される。
【００６１】
ここで，特定情報抽出部１０４において，画像入力部１０２で読み取られた入力画像は，上記記載領域情報に対応する手書き領域以外を空白にした画像に変換される。
【００６２】
次に，もし，上記入力画像補正部を備えていれば，上記入力画像は，上記更新履歴管理装置に保存されている他帳票の画像と座標単位で，上記各画像間における帳票のデータの比較が行えるように，歪みを補正した画像（以下，補正画像）に変換される。
【００６３】
図１４は，本発明の第２の実施形態にかかる入力画像および補正画像を示す説明図である。図１４（ａ）は上記入力画像を示し，図１４（ｂ）は補正画像を示す。図１４（ｂ）を参照すれば，上記補正画像は，手書き領域以外を空白にした画像に変換されていることがわかる。
【００６４】
次に，上記種別ＩＤを参照して該当する帳票のフォーマット（以下，原本情報）と，上記個別ＩＤを参照して，上記帳票の更新履歴を示す更新履歴情報が，データベースなどの記憶媒体である上記データ記憶部から抽出される。
【００６５】
ここで，更新領域抽出部に入力される直近画像の生成の流れについて説明する。
【００６６】
履歴画像合成部では，上記更新領域情報から更新領域画像を生成し，白紙画像に上記更新領域画像を重畳し，上記直近画像が生成される。
【００６７】
次に，上記更新領域抽出部では，上記記載領域情報に基づいて，上記直近画像と上記入力画像との上記手書き領域における差分を抽出し，その差分に応じて更新領域情報が抽出される。
【００６８】
次に，上記更新領域を画像化した更新領域画像および，上記更新領域の位置を示す位置情報や，上記更新領域が抽出された日時を示す更新日時情報などを含む属性情報が，相互に関連付けられながら，上記更新履歴情報が保存されているデータベースなどの記憶媒体である，上記データ記憶部に，更新履歴情報として追加される
【００６９】
図１５は，本発明の第２の実施形態にかかる直近画像の生成の流れを示す説明図である。
【００７０】
第２の実施形態では，図１５（ａ）で示す原本画像を，上記入力画像と同じサイズの白紙画像とする。そして，図１５（ｂ）に示す，第１更新履歴情報３００および第２更新履歴情報３０２の更新領域情報を画像化した更新領域画像は上記白紙画像に重畳され，図１５（ｃ）に示す直近画像が生成される。そして，上記入力画像と上記直近画像の比較は，帳票のフォーマットが消去された状態で行われる。そして，上記比較によって抽出された更新履歴情報は，データベースなどの記憶媒体であるデータ記憶部に保存される。
【００７１】
上記更新履歴管理装置における更新履歴閲覧機能の動作は，第１の実施形態と同様である。
【００７２】
（効果）
データ抽出部において，原本情報を参照することなく更新履歴情報だけを使用して，直近画像を生成することができる。また，上記更新領域抽出部において，上記直近画像と比較される上記入力画像は，上記特定情報抽出部によって，上記記載領域情報に対応した手書き領域以外を空白にした画像に変換され，上記直近画像と上記入力画像との差分は，更新履歴情報としてデータベースなどの記憶媒体であるデータ記憶部に保存管理できる。
【００７３】
（第３の実施形態）
本発明の第３の実施形態にかかる更新履歴管理装置について説明する。本実施形態では，１回目の更新履歴情報作成時に，帳票のフォーマットを示す原本画像を更新領域画像に含めることで，更新履歴管理機能および更新履歴閲覧機能を実現する構成において，データ抽出部１０８における帳票の上記原本情報の，抽出処理を省略し，直近画像を生成できる。以下，第１の実施形態との差異部分を説明する。
【００７４】
図１６は，本発明の第３の実施形態にかかる更新履歴管理装置において更新履歴閲覧機能を実現する構成を示す説明図である。第１の実施形態との相違点は，データ抽出部１０８において，特定情報入力部１０６で入力された帳票ＩＤを参照して，種別ＩＤに対応する帳票の更新履歴情報１２４のみがデータベースなどの記憶媒体であるデータ記憶部１２８から抽出される点と，履歴画像合成部１１６において，上記データ抽出部において抽出された上記更新履歴情報のみを用いて，直近画像が生成される点である。第３の実施形態にかかる更新履歴管理装置において更新履歴管理機能を実現する構成は，第２の実施形態と同様に，データ抽出部１０８において，特定情報抽出部１０４で入力された個別ＩＤを参照して，種別ＩＤに対応する帳票の対象ユーザの更新履歴情報１２４のみがデータベースなどの記憶媒体であるデータ記憶部１２８から抽出される。
【００７５】
（動作）
第３の実施形態における更新履歴情報の生成の流れは，第１の実施形態と比較して，１回目の生成時の処理が異なる。
【００７６】
図１７は，本発明の第３の実施形態にかかる１回目の更新履歴情報生成の流れを示す説明図である。
【００７７】
（Ｓ１００）
最初に，上記画像入力部において，手書きで記入された帳票が，スキャナなどの入力装置により入力画像１１２として読み取られる。次に，特定情報抽出部において，上記入力画像から，帳票を一意に特定する特定情報である帳票ＩＤ１１０が抽出される。
【００７８】
（Ｓ１０２）
次に，上記入力画像補正部を備えていれば，上記入力画像は，上記更新履歴管理装置に保存されている他帳票の画像と座標単位で，上記各画像間における帳票のデータの比較が行えるように，歪みを補正した補正画像に変換される。
【００７９】
（Ｓ１０６）
第１の実施形態と異なるのは，入力画像補正工程（Ｓ１０２）において生成された補正画像を，そのまま更新履歴情報の更新領域画像として保存することである。これにより，帳票のフォーマットおよび最初の記入内容が，１回目の更新履歴情報として保存される。２回目以降の更新履歴情報生成の流れは第１の実施形態と同様である。
【００８０】
第３の実施形態における更新履歴管理機能の直近画像生成の流れは，第１の実施形態と同様であるが以下の点が異なる。第３の実施形態では，１回目の更新履歴情報の更新領域情報を画像化した更新領域画像を，原本画像とする。上記原本画像に２回目の更新以降の更新領域情報を画像化した更新領域画像が，重畳されて，直近画像が生成される。
【００８１】
図１８は，本発明の第３の実施形態にかかる直近画像の生成の流れを具体的に示す説明図である。図１８（ａ）に示す１回目の更新履歴情報中の更新領域情報を画像化した原本画像に，図１８（ｂ）に示す２回目の更新内容を示す第２更新履歴情報３０２の更新領域情報を画像化した更新領域画像が重畳されて，図１８（ｃ）に示す直近画像が生成される。
【００８２】
第３の実施形態における更新履歴閲覧機能の直近画像生成の流れは，同実施形態における更新履歴管理機能の直近画像生成の流れと同様である。
【００８３】
（効果）
２回目以降の更新履歴情報を生成する，または直近画像を出力する場合，データ抽出部において，原本情報を参照することなく更新履歴情報のみを抽出して，上記履歴画像合成部において，直近画像を生成することができる。
【００８４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００８５】
例えば，上記実施形態では，帳票の記入者に上記帳票を配布する場合に，上記帳票には，罫線，文字など上記帳票のフォーマットの位置を示す透かし情報が重畳されている場合について説明したが，本発明はそれに限定されない。帳票の記入者に上記帳票を配布する場合に，上記帳票には，位置決め用のマーカーが重畳されてもよい。その結果，入力画像補正部が備えられていた場合，読み取り済みの上記位置決め用のマーカーに応じて，紙の伸縮や画像入力部での帳票読み取り時に発生した傾きなどの歪みを補正することができる。
【００８６】
例えば，上記実施形態では，帳票の記入者に上記帳票を配布する場合に，上記帳票には，帳票を一意に特定可能な特定情報を，電子透かしを埋め込む場合について説明したが，本発明はそれに限定されない。帳票の記入者に上記帳票を配布する場合に，上記帳票には，帳票を一意に特定可能な特定情報を，バーコードまたは２次元バーコードなどの手段で埋め込んでもよい。
【産業上の利用可能性】
【００８７】
本発明は，更新履歴管理装置および更新履歴管理方法に適用可能である。
【図面の簡単な説明】
【００８８】
【図１】本発明の第１実施形態にかかる更新履歴管理装置の構成を示す説明図である。
【図２】同実施形態にかかる更新履歴管理機能を実現する構成を示す説明図である。
【図３】同実施形態にかかる更新履歴閲覧機能を実現する構成を示す説明図である。
【図４】同実施形態にかかるディスプレイ表示された直近画像を示す説明図である。
【図５】同実施形態にかかる更新履歴情報の生成の流れを示す説明図である。
【図６】同実施形態にかかる帳票に特定情報の地紋パターンが重畳された画像を示す説明図である。
【図７】同実施形態にかかる入力画像および補正画像を示す説明図である。
【図８】同実施形態にかかる直近画像の生成の流れを示す説明図である。
【図９】同実施形態にかかる直近画像の生成の流れを示す説明図である。
【図１０】同実施形態にかかる更新領域抽出の流れを示す説明図である。
【図１１】同実施形態にかかる更新領域抽出の流れを示す説明図である。
【図１２】本発明の第２実施形態にかかる更新履歴管理装置において更新履歴管理機能を実現する構成を示す説明図である。
【図１３】同実施形態にかかる帳票に特定情報および記載領域情報の地紋パターンが重畳された画像を示す説明図である。
【図１４】同実施形態にかかる入力画像および補正画像を示す説明図である。
【図１５】同実施形態にかかる直近画像の生成の流れを示す説明図である。
【図１６】本発明の第３の実施形態にかかる更新履歴管理装置において更新履歴閲覧機能を実現する構成を示す説明図である。
【図１７】同実施形態にかかる更新履歴情報の生成の流れを示す説明図である。
【図１８】同実施形態にかかる直近画像の生成の流れを示す説明図である。
【符号の説明】
【００８９】
１００  更新履歴管理装置
１０２  画像入力部
１０４  特定情報抽出部
１０６  特定情報入力部
１０８  データ抽出部
１１０  帳票ＩＤ
１１２  入力画像
１１４  更新領域抽出部
１１６  履歴画像合成部
１１８  更新情報保存部
１２０  履歴出力部
１２２  原本情報
１２４  更新履歴情報
１２６  帳票
１２８  データ記憶部
２０２  直近画像
２５０  特定情報
３５０  更新領域画像
３５２  属性情報
４００  記載領域情報
【図１】
2007122210.tif 000003
【図２】
2007122210.tif 000004
【図３】
2007122210.tif 000005
【図４】
2007122210.tif 000006
【図５】
2007122210.tif 000007
【図６】
2007122210.tif 000008
【図７】
2007122210.tif 000009
【図８】
2007122210.tif 000010
【図９】
2007122210.tif 000011
【図１０】
2007122210.tif 000012
【図１１】
2007122210.tif 000013
【図１２】
2007122210.tif 000014
【図１３】
2007122210.tif 000015
【図１４】
2007122210.tif 000016
【図１５】
2007122210.tif 000017
【図１６】
2007122210.tif 000018
【図１７】
2007122210.tif 000019
【図１８】
2007122210.tif 000020